(57)【要約】【課題】個人情報を保護しながら、情報提供者独自の情報提供が可能な情報受発信システムを提供する。【解決手段】情報受発信システムは、インターネットに接続された、情報を発信する情報発信者の情報が表示されるウエブサーバ２０と、ウエブサーバ２０を管理する管理サーバ１０と、情報を受信する情報受信者のパソコン３０とからなる。ウエブサーバ２０は、所定のマークが付与された情報を表示する情報表示手段を含み、管理サーバ１０は、情報発信者および情報受信者を登録させる登録部１２と、情報受信者がパソコン３０を介して、所定のマークが付与された情報をクリックしたときは、所定のマークが表示された情報と、情報受信者とを関連付けて保存するデータベース１３とを含む。【選択図】図２
2008046782.tif 000002
【特許請求の範囲】
【請求項１】
インターネットに接続された、情報を発信する情報発信者の情報が表示されるウエブサーバと、前記情報発信者の有するウエブサーバを管理する管理サーバと、情報を受信する情報受信者のパソコンとからなるインターネット上の情報受発信システムであって、
前記ウエブサーバは、所定のマークが付与された情報を表示する情報表示手段を含み、
前記管理サーバは、前記情報発信者および前記情報受信者を登録させる登録手段と、前記情報受信者が前記パソコンを介して、前記所定のマークが付与された情報をクリックしたときは、前記所定のマークが表示された情報を発信する前記情報発信者と、前記情報受信者とを関連付けて保存するデータベースとを含む、情報受発信システム。
【請求項２】
前記データベースは、前記情報受信者毎に前記情報発信者を管理する管理手段を有し、  
前記情報受信者は、前記パソコンを介して前記管理サーバにアクセスし、自分に関連付けられた前記情報発信者を削除可能である、請求項１に記載の情報受発信システム。
【請求項３】
前記管理手段は、前記データベースにおいて、前記情報発信者ごとに前記所定のマークをクリックした情報受信者を管理する、請求項２に記載の情報受発信システム。
【請求項４】
前記所定のマークが付与された情報は、複数の表示画面分の情報を有し、
前記情報受信者が前記所定のマークが付与された情報をクリックしたときは、前記複数の表示画面分の情報が前記パソコンに表示される、請求項３に記載の情報受発信システム。
【請求項５】
前記ウエブサーバは、前記所定のマークが付与された情報を、予め定められたフォーマットで表示するよう制御する制御手段を含む、請求項１から４のいずれかに記載の情報受発信システム。
【請求項６】
前記情報受信者が前記パソコンを介して、前記所定のマークが付与された情報をクリックしたときは、前記管理サーバは、前記データベースに基づいて、前記情報受信者から前記所定のマークの付された情報を特定して、前記所定のマークの付された情報を有する前記ウエブサーバから提供された情報を前記情報受信者のパソコンに表示するよう制御する制御手段を含む、請求項１から５のいずれかに記載の情報受発信システム。
【請求項７】
インターネットに接続された、情報を発信する情報発信者の情報が表示されるウエブサーバと、情報を受信する情報受信者のパソコンとに接続され、前記ウエブサーバを管理する管理サーバであって、
前記ウエブサーバは、所定のマークが付与された情報を表示する情報表示手段を含み、
前記情報発信者および前記情報受信者を登録させる登録手段と、
前記情報受信者が前記パソコンを介して、前記所定のマークが付与された情報をクリックしたときは、前記所定のマークが表示された情報を発信する前記情報発信者と、前記情報受信者とを関連付けて保存するデータベースとを含む、管理サーバ。
【請求項８】
インターネットに接続された、情報を受信する情報受信者のパソコンと、管理サーバとに接続され、情報を発信する情報発信者の情報が表示されるウエブサーバであって、
前記ウエブサーバは予め前記管理サーバに登録されており、
前記管理サーバによって許可された所定のマークを付した情報を表示可能な情報表示手段と、
前記情報受信者が前記パソコンを介して、前記所定のマークが付与された情報をクリックしたときは、前記管理サーバを介して前記パソコンに前記情報発信者の情報を表示する、ウエブサーバ。
【発明の詳細な説明】
【技術分野】
【０００１】
この発明は、情報受発信システム、管理サーバおよびウエブサーバに関し、特に個人情報の保護を考慮した情報受発信システム、管理サーバおよびウエブサーバに関する。
【背景技術】
【０００２】
従来の、個人情報の保護を考慮した情報受発信システムの一例としてのインターネット上の商品取引システムが、たとえば、特開２００２−３６６７９４号公報（特許文献１）に開示されている。特許文献１によれば、インターネット上に商品取引市場としてのウエブサーバを設置し、ウエブサーバの管理者は、商品を提供する販売業者を募ってショッピング利用者とともに、サーバに会員として登録させていた。ショッピング利用者は、所望の商品を選択し、それを業者が閲覧し、提供可能な商品について、利用者にメールを送信するが、送信者はサーバの管理者であり、利用者のメールアドレスは伝わらないようになっている。
【特許文献１】特開２００２−３６６７９４号公報（要約）
【発明の開示】
【発明が解決しようとする課題】
【０００３】
従来のインターネット上の商品取引システムにおいて、個人情報の拡散を防ぐには、上記のように行われていた。しかしながら、従来のようなシステムにおいては、利用者も、商品の販売する側もともに１つのウエブサーバに登録する必要があるため、情報を発信者としての販売業者は、独自のホームページや、独自の情報提供ができないという問題があった。
【０００４】
この発明は、上記のような問題点に着目してなされたもので、個人情報を保護しながら、情報提供者独自の情報提供が可能な情報受発信システムを提供することを目的とする。
【課題を解決するための手段】
【０００５】
この発明にかかる情報受発信システムは、インターネットに接続された、情報を発信する情報発信者の情報が表示されるウエブサーバと、情報発信者の有するウエブサーバを管理する管理サーバと、情報を受信する情報受信者のパソコンとからなる。インターネット上の情報受発信システムにおいては、ウエブサーバは、所定のマークが付与された情報を表示する情報表示手段を含み、管理サーバは、情報発信者および情報受信者を登録させる登録手段と、情報受信者がパソコンを介して、所定のマークが付与された情報をクリックしたときは、所定のマークが表示された情報を発信する情報発信者と、情報受信者とを関連付けて保存するデータベースとを含む。
【０００６】
情報発信者および情報受信者は管理サーバに登録され、情報受信者がパソコンを介して、ウエブサーバの所定のマークが付与された情報をクリックしたときは、所定のマークが表示された情報を発信する情報発信者と、情報受信者とが関連付けられてデータベースに保存される。
【０００７】
すなわち、情報発信者は所定のマークが付与された独自の情報を情報受信者に表示可能でありながら、情報発信者はその情報を受信する情報受信者の登録情報を有しない。すなわち、個人情報を保持することなく、情報の必要な人に独自の様式で情報を提供できる。その結果、個人情報を保護しながら、情報提供者独自の情報提供が可能な情報受発信システムを提供できる。
【０００８】
好ましくは、データベースは、情報受信者毎に情報発信者を管理する管理手段を有し、情報受信者は、パソコンを介して管理サーバにアクセスし、自分に関連付けられた情報発信者を削除可能である。
【０００９】
情報受信者は、パソコンを介して管理サーバにアクセスし、自分が受信した所定のマークが付された情報をいつでも削除できる。その結果、情報発信者に知られることなく個人情報を削除できる。
【００１０】
さらに好ましくは、管理手段は、データベースにおいて、情報発信者ごとに所定のマークをクリックした情報受信者を管理する。
【００１１】
この発明の一つの実施の形態によれば、所定のマークが付与された情報は、複数の表示画面分の情報を有し、情報受信者が所定のマークが付与された情報をクリックしたときは、複数の表示画面分の情報がパソコンに表示される。
【００１２】
なお、ウエブサーバは、所定のマークが付与された情報を、予め定められたフォーマットで表示するよう制御する制御手段を含むのが好ましい。
【００１３】
さらに好ましくは、情報受信者がパソコンを介して、所定のマークが付与された情報をクリックしたときは、管理サーバは、データベースに基づいて、情報受信者から所定のマークの付された情報を特定して、所定のマークの付された情報を有するウエブサーバから提供された情報を情報受信者のパソコンに表示するよう制御する制御手段を含む。
【００１４】
この発明の他の局面においては、管理サーバは、インターネットに接続された、情報を発信する情報発信者の情報が表示されるウエブサーバと、情報を受信する情報受信者のパソコンとに接続され、ウエブサーバを管理する。ウエブサーバは、所定のマークが付与された情報を表示する情報表示手段を含み、管理サーバは、情報発信者および情報受信者を登録させる登録手段と、情報受信者が前記パソコンを介して、所定のマークが付与された情報をクリックしたときは、所定のマークが表示された情報を発信する情報発信者と、情報受信者とを関連付けて保存するデータベースとを含む。
【００１５】
この発明のさらに他の局面においては、ウエブサーバは、インターネットに接続された、情報を受信する情報受信者のパソコンと、管理サーバとに接続され、情報を発信する情報発信者の情報が表示される。ウエブサーバは予め管理サーバに登録されており、管理サーバによって許可された所定のマークを付した情報を表示可能な情報表示手段と、情報受信者がパソコンを介して、所定のマークが付与された情報をクリックしたときは、管理サーバを介してパソコンに情報発信者の情報を表示する。
【発明を実施するための最良の形態】
【００１６】
以下、この発明の実施の形態を図面を参照して説明する。図１はこの発明の一実施の形態にかかる情報受発信システムが適用されるインターネットにおける全体構成を示すブロック図である。図１を参照して、情報受発信システムは、情報を発信する情報発信者のウエブサーバ２０と、ウエブサーバ２０を管理する管理サーバ１０と、一般の利用者がウエブサイト２０等を閲覧するための利用者パソコン３０とを含み、これらの管理サーバ１０、ウエブサーバ２０および利用者パソコン３０はインターネット４０で相互に接続されている。
【００１７】
なお、利用者パソコン３０は、図示の無い、パソコン全体を制御するＣＰＵと、ディスプレイと、キーボードやマウスのような入出力装置と、インターネットへ接続するための通信装置とを含む。
【００１８】
図２は管理サーバ１０、ウエブサーバ２０および利用者パソコン３０のそれぞれの動作を説明するための図である。ここでは、各処理を番号（Ｓ付きの番号で示す）付きの矢印で示している。図２を参照して、管理サーバ１０は、情報発信者が有するウエブサーバ２０上のホームページと、一般顧客である利用者との間の中継システムとして作動する。ここで情報発信者としては、国、地方公共団体、企業等何であってもよいし、ショッピングサイトを運営するサイト等であってもよい。ここでは、情報発信者として、企業を例に挙げて説明する。
【００１９】
この情報受発信システムに参加する企業および利用者は、予め、管理サーバ１０に情報発信企業、および、利用者として登録をする。登録にあたっては、企業は、その企業名、パスワード等を設定する。利用者個人についても同様である。登録をした企業は、管理サーバ１０から付与された、予め定められた所定のマークを自分のホームページに表示する。なお、企業や利用者によって登録された内容は、後に説明するデータベースに格納される。
【００２０】
図２を参照して、管理サーバ１０は、管理サーバ１０全体を制御するためのＣＰＵを含む制御部１１と、ディスプレイと、データベース１３を格納するためのハードディスクのような格納装置（図示無し）と、企業や利用者の登録を行う登録部（登録手段）１２と、インターネットへ接続するための図示のない通信装置（図示無し）とを有している。ウエブサーバ２０は、ウエブサーバ２０全体を制御するためのＣＰＵを含む制御部２１と、ディスプレイ（図示無し）と、ホームページデータ２２を格納するための格納装置と、インターネットへ接続するための図示のない通信装置とを有している。ホームページデータ２２には管理サーバ１０から付与された所定のマーク２３が付されている。
【００２１】
利用者がパソコン３０から企業のホームページ２２にアクセスして、所定のマーク２３をクリックしたときは（Ｓ１１）、利用者は、その企業のウエブサーバ２０のリンクを介して管理サーバ１０の登録部１２に移動される（Ｓ１２）。ここで登録部１２はプログラムであり、管理サーバ１０は、データベース１３を参照して、アクセスした利用者の利用者登録がされているか否かを判断する（Ｓ１５，Ｓ１６）。登録がなかったときは、利用者３０のパソコン３１に対して、利用者登録を促し（Ｓ１３）、利用者３０は、これに対応して利用者登録を行う（Ｓ１４）。なお、企業は、別途、所定の内容が規定された契約によって管理サーバ１０に登録される。
【００２２】
ホームページ２２に表示される所定のマーク２３を図３に示す。図３を参照して、ホームページ２２の右下に所定のマークとして「e-can」というマークが付されている。このマーク２３がクリックされると、上記の処理が行われる。利用者は、このマーク２３が付された情報に興味があるときに、これをクリックするようにホームページ上でガイドされているのが好ましい。なお、以下の説明では、利用者がマーク２３をクリックしたときは、カードを持ってかえると表現する場合がある。
【００２３】
なお，このような表示は、ウエブサーバ２０に設けられた制御部２１が情報表示手段として機能することによって達成される。
【００２４】
利用者がＩＤとパスワードとを入力する場合の入力画面例を図４に示す。図４を参照して、利用者は、この画面でＩＤ、パスワードの設定を行う。また、登録画面には、利用者に興味のある項目として、「ダイエット」、「ヘルスケア」、「健康食品」等を選択させるチェック項目が設けられており、利用者が所望の項目を選択すると、その情報がデータベース１３に格納され、企業から、その情報に応じた情報が提供される。
【００２５】
なお、ここで表示される利用者に興味のある項目としては、企業が希望すれば、利用者（顧客）を分類する、任意のものを設定可能である。たとえば、後に説明するように、「スポーツ」、「車」、「男女の区別」等であってもよい。また、この場合、表示の統一性を図るため、所定のフォーマットで作成されるのが好ましい。
【００２６】
予め登録されている利用者が、自分のパソコン３０から企業のホームページ２２所定のマークをクリックし、自分のＩＤとパスワードを入力し、図示のない送信ボタンを押したときは、送信ボタンを押されたホームページ２２は、入力された利用者ＩＤ（ここではａｂｃ１２とする）と、パスワードと、企業ＩＤ（ここでは、ｓ１２３とする）とを、データベース１３に登録する。
【００２７】
次にデータベース１３の内容について説明する。図５はデータベース１３の内容を示す図である。図５を参照して、データベース１３は、利用者データベース１３ａと企業データベース１３ｂとを含む。利用者データベース１３ａは、利用者ごとに、利用者ＩＤと、パスワードと、利用者がアクセスして所定のマーク２３をクリックした企業の企業ＩＤとを含む。このように、利用者ごとに、その利用者がクリックした（カードを持って帰った）ホームページ２２を有する企業のＩＤが格納される。これによって、利用者データベース１３ａの領域に企業が登録されたことになる。一方、企業データベース１３ｂは、企業ＩＤと、そのパスワードとを含む。なお、ここでは理解の容易のために、利用者データベース１３ａと企業データベース１３ｂとを分けて説明したが、実際はこれらのデータは共有されている。
【００２８】
なお、このような管理は、制御部１１が、利用者（情報受信者）毎に所定のマークが付与された情報を管理する管理手段として機能することによって達成される。
【００２９】
次に、カードを持って帰って、登録された利用者に、企業が情報を配信する場合の処理について説明する。図６はこの場合の処理を説明するためのウエブサーバ２０と管理サーバ１０との交信内容を示す図である。
【００３０】
図６を参照して、企業のウエブサーバ２０は、登録された企業ＩＤ（ｓ１２３）を使って、管理サーバ１０の企業情報送信部１４にアクセスし、一定のフォーマットに従って企業情報を入力し、図示のない送信ボタンをクリックする（Ｓ２１）。ここで企業情報送信部１４は、プログラムであり、企業から入力されたデータが正しいか否かを判断して、正しい場合に、その企業のカードを持って帰った利用者全員に企業情報を格納する。このとき、企業情報自体は実際には格納されず、情報発信が必要である旨のフラグがセットされる。
【００３１】
このようにして企業情報が格納されると、後に説明するように、利用者のパソコン３０からアクセスがあったときに、企業情報が利用者のパソコン３０に表示される。なお、この企業情報は、上記した所定のフォーマットで、図示のない格納装置のデータベース１３を格納している部分とは異なる部分に格納する。
【００３２】
具体的には、図示のない送信ボタンが押されたことを感知した企業情報送信部１４は、データベース１３にアクセスし、企業ＩＤ（ｓ１２３）で検索を行い、その企業のカードを持って帰った利用者のＩＤを抽出する。このようにして、データベース１３から、企業ＩＤ（ｓ１２３）を持っている人の人数を知ることができる。
【００３３】
次に企業情報送信部１４はデータベース１３にアクセスし、抽出された利用者全員の領域に、企業ＩＤ（ｓ１２３）の情報として、企業情報を登録し更新フラグを立てる。
【００３４】
企業情報送信部１４は、抽出された利用者の人数を、情報を送信した人数として図示のない格納装置に格納する。ここで、企業情報送信部１４は送信結果として、送信した人数を送信した企業のウエブサーバ２０に通知してもよい。
【００３５】
次に図７を参照して、利用者が企業から送信された情報を閲覧する方法について説明する。利用者は自分のパソコン３０から、管理サーバ１０に自分の利用者ＩＤ（ａｂｃ１２）でアクセスする（Ｓ３１）。管理サーバ１０の情報閲覧部１５はデータベース１３にアクセスし、利用者ＩＤ＝ａｂｃ１２の持っているカードの企業ＩＤを全て抽出する（Ｓ３２）。
【００３６】
情報閲覧部１５は、データベース１３の利用者ＩＤ＝ａｂｃ１２の領域にアクセスし、抽出した企業ＩＤから企業情報と更新フラグを取得する（Ｓ３３）。取得した企業情報を利用者のパソコン３０の画面に表示する（Ｓ３４）。この時、更新フラグが立っているものは、新着情報として表示する。
【００３７】
表示したら、データベース１３の利用者ＩＤａｂｃ１２の更新フラグを全て消す。これで表示された企業情報は、次回から新着情報としては扱われない。
【００３８】
このように、管理サーバ１０の制御部２１は、企業から提供された情報を利用者のパソコンに表示するよう制御する制御手段として機能する。
【００３９】
また、このとき、表示される情報の形式は、上記のフォーマットに従うが、その表示形式は、主要な項目のみを記載したチラシ形式であってもよいし、パソコン等の表示画面において、複数頁分の情報を含むような大きな規模のものであってもよい。
【００４０】
以上のように、この実施の形態においては、企業の情報を受信する利用者の情報は、全て管理サーバ１０で管理されている状態で、企業は、自分の企業の情報に興味のある利用者のみに情報を提供できるため、個人情報の保護を気にすることなく、効率的に情報発信ができる。
【００４１】
また、利用者はメールアドレス等の個人情報流出の心配なく、企業とのネットワークを構築でき、企業は多くの顧客とのネットワークを構築することができる。
【００４２】
さらに、利用者は、管理サーバ１０にアクセスして、自分の持って帰ったカードを何時でも自由に廃棄（消去）できる。したがって、必要なときのみ、必要な情報を得ることができ、不要になったあとでも、企業に個人情報が残っている限り、その企業のメール等の情報が送信されつづける、という問題は生じない。
【００４３】
すなわち、このシステムによれば、情報提供者は、個人情報を管理する必要が無いし、利用者は、不要な情報提供者を自由に削除できる。その結果、企業のような情報提供者および利用者のような情報受信者の両者にとって有利な情報受発信システムを提供できる。
【００４４】
次にこの発明の他の実施の形態について説明する。上記のように、このシステムでは、インターネット上の管理サーバ１０に、複数の利用者が、所定の登録を行えば、アクセス可能なデータベース１３を利用できる。そこで、この実施の形態においては、この機能を用いて、複数の利用者間で情報の交換を行いうるようにした。図８は、この実施の形態の動作を説明するための図である。ここでは、複数の利用者である利用者Ａが利用者Ｂと情報を交換する場合について説明する。利用者ＡはパソコンＡから自分の利用者ＩＤで管理サーバ１０の情報交換部１６にアクセスする（Ｓ４１）。そこで、利用者Ａは自分の情報を、パスワード、有効期限を付して入力し、情報交換部１６は、これらの情報をデータベース１７に格納する（Ｓ４２）。このとき、利用者Ａは、データベース１７内に設定された、自分の領域内に自分が情報を交換しようとする利用者ＢのＩＤを設定する。なお、情報交換部１６はプログラムである。
【００４５】
一方、利用者Ｂは、パソコンＢから自分の利用者ＩＤで管理サーバ１０の情報交換部１６にアクセスし（Ｓ４３）、そこで、利用者Ａの領域に格納された情報を自由に閲覧できる（Ｓ４４，Ｓ４５）。なお、利用者Ｂも利用者Ａに対して、同様の設定をするものとする。
【００４６】
次に、この発明のさらに他の実施の形態について説明する。図９は、この発明のさらに他の実施の形態を説明するための図であり、データベース１３内に登録されている、利用者の持って帰ったカードの付された企業のホームページを模式化して示したものである。ここで、Ａ，Ｂ，Ｃ等は、それぞれ、異なる分野を示し、たとえば、「美容と健康」、「スポーツ」、「車」等に対応する。その後の数字は、それぞれが異なる企業に属することを意味する。
【００４７】
たとえば、図９（Ａ）は利用者Ｃが持って帰ったカードの付された企業のホームページの内容を示す図であり、図９（Ｂ）は利用者Ｄが持って帰ったカードの付された企業のホームページの内容を示す図である。
【００４８】
図９（Ａ）および図９（Ｂ）を参照して、利用者Ｃは、分野Ａ〜Ｄに対して興味があり、利用者Ｄは、分野Ａ，Ｂ，Ｅ〜Ｇに興味があることがわかる。また、それぞれのデータは、各企業のホームページを集大成したものであるから、図９（Ａ）に示す例では、これらの集合体は、利用者Ｃの個人用集合ホームページを構成する。
【００４９】
これらの情報から、図９（Ｃ）に示すような集合ホームページを作成すれば、利用者Ｃや利用者Ｄだけでなく、多くの利用者に興味を持ってもらえるホームページが作成できる。すなわち、このシステムを用いれば、利用者に役立つホームページを作成することができる。
【００５０】
なお、企業は自社及び商品に興味を持った顧客に情報を送る事ができるだけでなく、顧客側からの反応（アンケート等）を実施することも可能である。
【００５１】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００５２】
【図１】この発明の一実施の形態にかかる、情報受発信システムの全体構成を示すブロック図である。
【図２】管理サーバと、ウエブサーバと、利用者のパソコンとの関係を示す図である。
【図３】ホームページに設けられたマークを示す図である。
【図４】利用者がＩＤやパスワードを入力する画面を示す図である。サーバの有するデータベースの構成を示す図である。
【図５】データベースの内容を示す図である。
【図６】企業がカードを持って帰った利用者に情報を送る方法を示す図である。
【図７】利用者が企業から送られた情報を見る方法を示す図である。
【図８】この発明の他の実施の形態を示す図である。
【図９】この発明のさらに他の実施の形態を示す図である。
【符号の説明】
【００５３】
１０  管理サーバ、１１，２１  制御部、１２  登録部、１３，１７  データベース、１４企業情報送信部、１５  情報閲覧部、１６  情報交換部、２０  ウエブサーバ、２２  ホームページ、２３  所定のマーク、３０  利用者のパソコン。
【図１】
2008046782.tif 000003
【図２】
2008046782.tif 000004
【図３】
2008046782.tif 000005
【図４】
2008046782.tif 000006
【図５】
2008046782.tif 000007
【図６】
2008046782.tif 000008
【図７】
2008046782.tif 000009
【図８】
2008046782.tif 000010
【図９】
2008046782.tif 000011